(57)【要約】【課題】  タンク内の液量を検知するための液面目盛をそなえたタンクへの液体注入作業とタンク液面の目視確認作業とを、作業姿勢を変えることなく容易に行なうことにより、タンクへの液体注入の作業性を向上するとともに、狭隘な場所に設置されたタンクへの液体注入を容易にかつ安定して行い得る液量検知目盛付きタンクを提供する。【解決手段】  タンク内の液量を検知するための液面目盛をそなえたタンクにおいて、前記タンクは、上面から側面に向けて傾斜した傾斜面をそなえるとともに、該傾斜面に前記液面目盛を設けてなり、さらにタンク上面の一定長さ部分を陥没させて凹部を形成し、該凹部の底面を前記上面側から側面に向けて傾斜した傾斜面に形成し、該傾斜面に前記液面目盛を設けてなることを特徴とする。【選択図】  図１
2006281861.tif 000002
【特許請求の範囲】
【請求項１】
タンク内の液量を検知するための液面目盛をそなえたタンクにおいて、前記タンクは、上面から側面に向けて傾斜した傾斜面をそなえるとともに、該傾斜面に前記液面目盛を設けてなることを特徴とする液量検知目盛付きタンク。
【請求項２】
タンク内の液量を検知するための液面目盛をそなえたタンクにおいて、前記タンクは、上面の一定長さ部分を陥没させて凹部を形成し、該凹部の底面を前記上面側から側面に向けて傾斜した傾斜面に形成し、該傾斜面に前記液面目盛を設けてなることを特徴とする液量検知目盛付きタンク。
【請求項３】
前記タンクをインパネ（インスツルメントパネル）の内側に収納されるリザーブタンクで構成し、前記インパネには、前記リザーブタンクの傾斜面に対向する部位に点検窓を設けたことを特徴とする請求項１及び２のいずれかの項に記載の液量検知目盛付きタンク。
【発明の詳細な説明】
【技術分野】
【０００１】
本発明は、車両用リザーブタンク等の液量検知に適用され、タンク内の液量を検知するための液面目盛をそなえたタンクに関する。
【背景技術】
【０００２】
トラック、バス等の車両においては、インパネ（インスツルメントパネル）の内側にブレーキ液リザーブタンクを設置しているものが多く採用されている。
図５は、かかるインパネのブレーキ液リザーブタンクの収納部近傍を示す外観斜視図である。また図４（Ａ）は該リザーブタンクの外観を示す側面図、（Ｂ）は平面図である。
図５において、１００はインパネ、１０１は該インパネ１００のリザーブタンク収納部で、該リザーブタンク収納部１０１の内側にブレーキ液のリザーブタンク０１が収納されている。１０３は前記インパネ１００の側部に開口された点検窓である。
【０００３】
図４（Ａ）、（Ｂ）において、０１は透明樹脂あるいは半透明樹脂からなるブレーキ液のリザーブタンク、０２は該リザーブタンク０１のブレーキ液の注入口である。
該リザーブタンク０１の側面には、最大油量における液面レベルを示す最高液面目盛４，最小油量における液面レベルを示す最低液面目盛５，及び必要に応じて標準油量における液面レベルを示す標準液面目盛６が形成されている。
また、特許文献１（特開２００２−３７０５５４号公報）には、ブレーキ液の収容量を表示するオイルレベルセンサを装着したブレーキ液のリザーブタンクが開示されている。
【０００４】
【特許文献１】特開２００２−３７０５５４号公報
【発明の開示】
【発明が解決しようとする課題】
【０００５】
図４（Ａ）、（Ｂ）及び図５に示されている従来のブレーキ液のリザーブタンクをインパネの内側に収納した構成にあっては、作業員がリザーブタンク０１の注入口０２からブレーキ液を補充する際には、前記注入口０２の蓋を取り、前記インパネ１００の側部に開口された点検窓１０３からリザーブタンク０１の側面に形成された前記目盛４，５，あるいは６を目視しながら、図５の矢印で示されるようなインパネ１００の上方からブレーキ液を注入口０２に注入している。
【０００６】
このため、かかる従来技術にあっては、インパネ１００の上方からブレーキ液を注入口０２に注入する動作と、インパネ１００の側部に開口された点検窓１０３からリザーブタンク０１の目盛４，５，６を側方から目視する動作とを交互に繰り返しながら、ブレーキ液面が最高液面目盛４以上にならないようにする必要がある。従ってかかる従来技術にあっては、ブレーキ液の注入とリザーブタンク０１の目盛４，５，６の目視確認とを、作業姿勢を変えて、場合によっては目盛４，５，６の目視確認時には作業員が車両から降りて目視作業を行わざるを得ないこととなって、ブレーキ液注入の作業性が悪いという問題を抱えている。
【０００７】
またかかる従来技術にあっては、ブレーキ液を上方から注入口０２に注入し、側方からリザーブタンク０１の目盛４，５，６の目視確認を行なう、というように、タンクに液体を注入する作業方向とタンク液面を目視確認する方向とが異なっているため、狭隘な場所に設置されたタンクへの液体注入等においては、タンクへの液体注入作業に多大な手間を要するのみならず、タンク液面の目視確認を確実できずに、液体が注入口の周囲にこぼれ落ちるという事態が発生する可能性がある。
尚、前記特許文献１（特開２００２−３７０５５４号公報）には、前記のような問題を解決する手段は示されていない。
【０００８】
本発明はかかる従来技術の課題に鑑み、タンク内の液量を検知するための液面目盛をそなえたタンクへの液体注入作業とタンク液面の目視確認作業とを、作業姿勢を変えることなく容易に行なうことにより、タンクへの液体注入の作業性を向上するとともに、狭隘な場所に設置されたタンクへの液体注入を容易にかつ安定して行ない得る液量検知目盛付きタンクを提供することを目的とする。
【課題を解決するための手段】
【０００９】
本発明はかかる目的を達成するもので、タンク内の液量を検知するための液面目盛をそなえたタンクにおいて、前記タンクは、上面から側面に向けて傾斜した傾斜面をそなえるとともに、該傾斜面に前記液面目盛を設けてなることを特徴とする。
【００１０】
かかる発明によれば、タンクの上面から側面に向けて傾斜した傾斜面を形成し、該傾斜面に液面目盛を設けたので、液面目盛を上方及び側方の双方向から目視できることとなって、タンクの上方から液面目盛を目視確認しながら、該タンクの上方から液を注入することが可能となる。
従って、かかる発明によれば、図４〜５に示される従来技術のように、液の注入とタンクの液面目盛の目視確認とを作業姿勢を変えて行う必要がなく、タンクの上方に向けた同じ姿勢で行なうことができ、液注入の作業性を向上できる。
【００１１】
また、液面目盛を上方から目視できるので、タンクの上方から液を注入する際に液の注入方向と液面目盛の目視方向とが同方向となって、狭隘な場所に設置されたタンクへの液体注入においても、液面目盛を目視しながらの液の注入が容易にできることとなり、液体の注入口の周囲への洩れを生じることなく、タンクへの液体注入作業を支障なく行なうことができる。
【００１２】
また本発明は、タンク内の液量を検知するための液面目盛をそなえたタンクにおいて、前記タンクは、上面の一定長さ部分を陥没させて凹部を形成し、該凹部の底面を前記上面側から側面に向けて傾斜した傾斜面に形成し、該傾斜面に前記液面目盛を設けてなることを特徴とする。
かかる発明によれば、前記液面目盛を形成した傾斜面を設けることに伴うタンク容積の減少を最小限に抑えて、前記と同様に、液の注入とタンクの液面目盛の目視確認とを同じ姿勢で行なうことが可能となり、液注入の作業性を向上できる。
【００１３】
かかる発明において、好ましくは、前記タンクをインパネ（インスツルメントパネル）の内側に収納されるリザーブタンクで構成し、前記インパネには、前記リザーブタンクの傾斜面に対向する部位に点検窓を設ける。
このように構成すれば、液面目盛が形成されたリザーブタンクの傾斜面に対向する部位に点検窓が開口しているので、液の注入とタンクの液面目盛の目視確認とを同じ姿勢で、より容易にかつ液体の洩れを生じることなく確実に行なうことができる。
【発明の効果】
【００１４】
本発明によれば、タンクに形成した傾斜面に液面目盛を設けたので、液面目盛を上方及び側方の双方向から目視できることとなって、タンクの上方から液面目盛を目視確認しながら液を注入することが可能となり、液の注入とタンクの液面目盛の目視確認とを、タンクの上方に向けた同じ作業姿勢で行なうことができ、液注入の作業性を向上できる。
また、液面目盛を上方から目視できるので、液の注入方向と液面目盛の目視方向とが同方向となって、狭隘な場所に設置されたタンクへの液体注入においても、液面目盛の目視しながらの液の注入が容易にできることとなり、液体の洩れを生じることなく、タンクへの液体注入作業を支障なく行なうことができる。
【発明を実施するための最良の形態】
【００１５】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
【実施例１】
【００１６】
図１は本発明の第１実施例に係るブレーキ液リザーブタンクを示し、（Ａ）は側面図，（Ｂ）は平面図である。
図において、１は透明樹脂あるいは半透明樹脂からなるブレーキ液のリザーブタンク、２は該リザーブタンク１のブレーキ液の注入口である。
【００１７】
前記リザーブタンク１は、図１（Ａ）のように、上面８から前側面９に向けて傾斜した傾斜面３が形成されている。そして図１（Ｂ）のように、該傾斜面３には、最大油量における液面レベルを示す最高液面目盛４ａ，最小油量における液面レベルを示す最低液面目盛５ａ，及び必要に応じて標準油量における液面レベルを示す標準液面目盛６ａが形成されている。
また、前記リザーブタンク１の右側面１１及び左側面１２には、前記傾斜面３における最高液面目盛４ａ，最低液面目盛５ａ，標準液面目盛６ａにそれぞれ連なる最高液面目盛４ｂ，最低液面目盛５ｂ，標準液面目盛６ｂが形成されている（図には右側面のみを示す）。１０は後側面である。
【００１８】
また、図３は前記第１実施例及び後述する第２実施例に係るインパネのブレーキ液リザーブタンクの収納部近傍を示す外観斜視図である。
図３において、１００はインパネ（インスツルメントパネル）、１０１は該インパネ１００のリザーブタンク収納部で、該リザーブタンクタンク収納部１０１の内側に前記リザーブタンク１が収納されている。
１０４は前記インパネ１００の、前記リザーブタンク１の傾斜面３（図１参照）に対向する部位に開設された点検窓である。
このように構成すれば、液面目盛４ａ，５ａ，６ａが形成されたリザーブタンク１の傾斜面３に対向する部位に点検窓１０４が開口しているので、液の注入と前記液面目盛４ａ，５ａ，６ａの目視確認とを、リザーブタンク１の上方に向けた同じ姿勢で、容易にかつ液体の洩れを生じることなく確実に行なうことができる。
【００１９】
かかる第１実施例において、リザーブタンク１にブレーキ液を注入する際には、図１における注入口２の蓋（図示省略）を取り、図３の矢印のように、インパネ１００の上方から該注入口２にブレーキ液を注入する。この際において、リザーブタンク１に前記傾斜面３を形成し、該傾斜面３に液面目盛４ａ，５ａ，６ａを設けたので、該液面目盛４ａ，５ａ，６ａが上方から目視可能となり、該液面目盛４ａ，５ａ，６ａを上方から目視しながらブレーキ液を注入することができる。
従って、かかる第１実施例によれば、図４〜５に示される従来技術のように、ブレーキ液の注入とタンクの液面目盛の目視確認とを作業姿勢を変えて行う必要がなく、リザーブタンク１へのブレーキ液の注入と液面目盛４ａ，５ａ，６ａの目視確認とを、リザーブタンク１の上方に向けた同じ姿勢で行なうことができ、ブレーキ液注入の作業性を向上できる。
【００２０】
また、液面目盛４ａ，５ａ，６ａを上方から目視できるので、リザーブタンク１の上方からブレーキ液を注入する際に、該ブレーキ液の注入方向と液面目盛４ａ，５ａ，６ａの目視方向とが同方向となって、狭隘な場所に設置されたリザーブタンク１への液体注入においても、液面目盛４ａ，５ａ，６ａを目視しながらの液の注入が容易にできることとなり、ブレーキ液の注入口２の周囲への洩れを生じることなく、リザーブタンク１への液体注入作業を支障なく行なうことができる。
尚、前記のように、液面目盛４ａ，５ａ，６ａを上方から目視しながらブレーキ液を注入することができるので、必ずしも前記点検窓１０４を設けなくてもよい。この場合は、図５に示す従来のものと同様に、インパネ１００の側部に点検窓１０３を設けたままにしてもよく、前記リザーブタンク１を、前記点検窓１０３を有する従来のインパネ１００にそのまま適用できる。
【実施例２】
【００２１】
図２は本発明の第２実施例に係るブレーキ液リザーブタンクを示し、（Ａ）は一部断面を示す側面図（（Ｂ）におけるＡ−Ａ矢視図）、（Ｂ）は平面図である。
かかる第２実施例においては、リザーブタンク１を次のように構成している。
即ち、該リザーブタンク１の上面８の一定長さ部分を陥没させて凹部７を形成し、該凹部７の底面を前記上面８側から前側面９に向けて傾斜した傾斜面３に形成し、図２（Ｂ）のように該傾斜面３に前記第１実施例と同様な、最高液面目盛４ａ，最低液面目盛５ａ，標準液面目盛６ａを形成している。
【００２２】
また前記リザーブタンク１の右側面１１及び左側面１２には、前記傾斜面３における最高液面目盛４ａ，最低液面目盛５ａ，標準液面目盛６ａとそれぞれ同レベルの位置に最高液面目盛４ｂ，最低液面目盛５ｂ，標準液面目盛６ｂが形成されている（図には右側面のみを示す）。
その他の構成は前記第１実施例と同様であり、これと同一の部材は同一の符号で示す。
かかる第２実施例によれば、前記液面目盛４ａ，５ａ，６ａを形成した傾斜面３を設けることに伴うリザーブタンク１容積の減少を最小限に抑えて、前記と同様に、ブレーキ液の注入とリザーブタンク１の液面目盛４ａ，５ａ，６ａの目視確認とを同じ姿勢で行なうことが可能となり、ブレーキ液注入の作業性を向上できる。
【００２３】
また、図２（Ｃ）は、第２実施例の変形例を示し、前記傾斜面３に最高液面目盛４ａ，最低液面目盛５ａ，標準液面目盛６ａを形成し、液量を表す文字（ＭＡＸ，ＭＩＮ）を上面８に形成することで、リザーブタンク１の容積の減少をさらに抑えることができる。
【００２４】
前記各実施例は、本発明をブレーキ液のリザーブタンクに適用したものであるが、本発明はこれに限定されることなく、エンジン冷却水タンク、オイルタンク、パワーステアリング用オイルタンク等の、液面目盛をそなえたタンクに広く適用できる。  
【産業上の利用可能性】
【００２５】
本発明によれば、タンク内の液量を検知するための液面目盛をそなえたタンクへの液体注入作業とタンク液面の目視確認作業とを、作業姿勢を変えることなく容易に行なうことができ、該タンクへの液体注入の作業性を向上できるとともに、狭隘な場所に設置されたタンクへの液体注入を容易にかつ安定して行ない得る液量検知目盛付きタンクを提供できる。
【図面の簡単な説明】
【００２６】
【図１】本発明の第１実施例に係るブレーキ液リザーブタンクを示し、（Ａ）は側面図，（Ｂ）は平面図である。
【図２】本発明の第２実施例に係るブレーキ液リザーブタンクを示し、（Ａ）は一部断面を示す側面図（（Ｂ）におけるＡ−Ａ矢視図）、（Ｂ）は平面図である。
【図３】前記各実施例に係るインパネのブレーキ液リザーブタンクの収納部近傍を示す外観斜視図である。
【図４】従来技術に係るブレーキ液リザーブタンクを示し、（Ａ）は側面図，（Ｂ）は平面図である。
【図５】従来技術に係るインパネのブレーキ液リザーブタンクの収納部近傍を示す外観斜視図である。
【符号の説明】
【００２７】
１  リザーブタンク
２  注入口
３  傾斜面
４ａ，４ｂ  最高液面目盛
５ａ，５ｂ  最低液面目盛
６ａ，６ｂ  標準液面目盛
７  凹部
８  上面
９  前側面
１１  右側面
１２  左側面
１００  インパネ（インスツルメントパネル）
１０１  リザーブタンク収納部
１０４  点検窓
【図１】
2006281861.tif 000003
【図２】
2006281861.tif 000004
【図３】
2006281861.tif 000005
【図４】
2006281861.tif 000006
【図５】
2006281861.tif 000007